(57)【要約】      （修正有）【課題】壁面に固定されるセキュリティ用通信装置において、装置をより目立たなくする。【解決手段】セキュリティ用通信装置１０は、取り付け金具２００と、取り付け金具２００に直接的又は間接的に取り付けられる本体部１００と、自身を介して本体部１００を取り付け金具２００に取り付けるための中間ブラケット部材３００と、本体部１００を取り付け金具２００に固定するためのネジ６００と、ネジ６００が挿通され、ネジ頭と本体部１００との間に介在するボス部材５００と、を備える。取り付け金具２００は、金具側雌ネジ部を含み、本体部は、ネジ６００が挿通される第１の本体側開口部を含み、中間ブラケット部材３００は、ブラケット部材を取り付け金具２００に取り付けたときに、金具側雌ネジ部と対向する位置に形成されたブラケット側開口部を含み、ボス部材は、ネジのネジ頭と第１の本体側開口部との間の介在部分の軸方向の長さを変更可能に構成される。【選択図】図１２
2016126396.tif 000002
【特許請求の範囲】
【請求項１】
セキュリティ用通信装置であって、
取り付け面に固定される取り付け金具と、前記取り付け金具に直接的または間接的に取り付けられる本体部と、前記本体部を前記取り付け金具に間接的に取り付けるときに使用され、自身を介して前記本体部を前記取り付け金具に取り付けるための中間ブラケット部材と、前記本体部を前記取り付け金具に直接的または間接的に取り付けるときに、前記本体部を前記取り付け金具に固定するためのネジと、前記ネジが挿通される筒状のボス部材であって、前記ネジのネジ頭と前記本体部との間に介在するボス部材と、を備え、
前記取り付け金具は、前記ネジと螺合する金具側雌ネジ部を含み、
前記本体部は、前記ネジが挿通される第１の本体側開口部と、通信機能を有する内部装置を収容する内部装置収容部と、を含み、
前記中間ブラケット部材は、前記中間ブラケット部材を前記取り付け金具に取り付けたときに、前記金具側雌ネジ部と対向する位置に形成されたブラケット側開口部と、前記本体部を前記中間ブラケット部材に取り付けたときに、前記セキュリティ用通信装置の外部から前記セキュリティ用通信装置の内部に引き込まれて前記本体部に収容されている前記内部装置に接続される配線を収容するためのブラケット側配線収容部と、を含み、
前記ボス部材は、前記ネジが前記第１の本体側開口部に挿通されているときに、前記ネジのネジ頭と前記第１の本体側開口部との間に介在する前記ボス部材の介在部分の軸方向の長さを変更可能に構成されており、前記中間ブラケット部材を介して前記本体部を前記取り付け金具に取り付ける場合には、前記介在部分の前記軸方向の長さを相対的に短くすることによって前記第１の本体側開口部から前記ネジのネジ先までの距離を相対的に長くして前記ネジ先を前記金具側雌ネジ部に螺合させることができ、前記中間ブラケット部材を介さずに前記本体部を前記取り付け金具に取り付ける場合には、前記介在部分の前記軸方向の長さを相対的に長くすることによって前記第１の本体側開口部から前記ネジ先までの距離を相対的に短くして前記ネジ先を前記金具側雌ネジ部に螺合させることができる、セキュリティ用通信装置。
【請求項２】
請求項１に記載のセキュリティ用通信装置であって、
前記ボス部材は、外周部に第１の係合部および第２の係合部を備え、
前記第１の係合部および前記第２の係合部は、前記軸方向において、前記第１の係合部が前記第２の係合部よりも前記ネジのネジ頭に近い位置に形成されており、
前記ボス部材は、前記ボス部材を前記第１の本体側開口部に挿通させた状態で、前記第１の係合部を前記第１の本体側開口部の開口端部と係合させることで、前記ネジ頭と接触する前記ボス部材の端部から前記第１の係合部が形成された位置までの部分が前記介在部分として前記ネジの前記ネジ頭と前記第１の本体側開口部との間に介在し、前記第２の係合部を前記開口端部と係合させることで、前記ボス部材の前記端部から前記第２の係合部が形成された位置までの部分が前記介在部分として前記ネジの前記ネジ頭と前記第１の本体側開口部との間に介在する、セキュリティ用通信装置。
【請求項３】
請求項２に記載のセキュリティ用通信装置であって、
前記第２の係合部は、前記軸方向に直交する方向に突出した突起部であり、
前記第１の本体側開口部の開口形状は、前記第２の係合部が形成された位置における前記ボス部材の前記軸方向に直交する断面形状に対応する形状を備えており、
前記ボス部材および前記本体部は、前記第１の本体側開口部の前記開口形状と、前記第２の係合部が形成された位置における前記ボス部材の前記断面形状との向きを一致させたときに、前記ボス部材の前記第２の係合部が形成された部分が前記第１の本体側開口部を通過可能となり、前記向きを一致させていないときには、前記第２の係合部が前記第１の本体側開口部の前記開口端部と接触して、前記ボス部材の前記第２の係合部が形成された部分が前記第１の本体側開口部を通過できないように構成されている、セキュリティ用通信装置。
【請求項４】
請求項３に記載のセキュリティ用通信装置であって、
前記第１の係合部は、前記軸方向に直交する方向に突出した突起部であり、
前記ボス部材において、前記第１の係合部が形成された位置の前記軸方向に直交する断面形状は、前記第２の係合部が形成された位置の前記軸方向に直交する断面形状と同じであり、前記軸方向から見たときの向きが異なる、セキュリティ用通信装置。
【請求項５】
請求項４に記載のセキュリティ用通信装置であって、
前記本体部は、前記軸方向を回転軸とした前記ボス部材の回転を規制する回転規制部を備え、
前記回転規制部は、前記第１の係合部または前記第２の係合部に含まれる前記突起部のうち、前記第１の本体側開口部の前記開口端部と接触している前記突起部と係合することによって前記ボス部材の回転を規制する、セキュリティ用通信装置。
【請求項６】
請求項１から請求項５までのいずれか一項に記載のセキュリティ用通信装置であって、
前記第１の本体側開口部は、前記本体部を第１の体勢で前記取り付け金具に直接的または間接的に取り付けるときに、前記金具側雌ネジ部と対向する位置に形成されており、
前記本体部は、さらに、前記本体部を前記第１の体勢を反転させた第２の体勢で前記取り付け金具に直接的または間接的に取り付けるときに、前記金具側雌ネジ部と対向する位置に第２の本体側開口部を備えており、
前記ボス部材は、前記ネジが前記第２の本体側開口部に挿通されているときに、前記ネジの前記ネジ頭と前記第２の本体側開口部との間に介在する前記ボス部材の介在部分の軸方向の長さを変更可能に構成されている、セキュリティ用通信装置。
【請求項７】
請求項６に記載のセキュリティ用通信装置であって、
前記中間ブラケット部材は、さらに、前記本体部を前記第１の体勢で前記中間ブラケット部材に取り付けたときに前記第２の本体側開口部と対向する位置であって、前記本体部を前記第２の体勢で前記中間ブラケット部材に取り付けたときに前記第１の本体側開口部と対向する位置に形成され、前記ネジと螺合するブラケット側雌ネジ部を備えている、セキュリティ用通信装置。
【請求項８】
請求項７に記載のセキュリティ用通信装置であって、
前記中間ブラケット部材は、前記ブラケット側開口部および前記ブラケット側雌ネジ部が形成されたブラケット側主面部と、前記ブラケット側主面部の外周に形成された枠状のブラケット側外周面部とを備えており、
前記本体部は、前記第１の本体側開口部および前記第２の本体側開口部が形成された本体側ケースを備えており、
前記本体部を前記中間ブラケット部材に取り付けるときの取り付け方向から見たときの前記ブラケット側外周面部の外形は、前記本体側ケースを前記取り付け方向から見たときの外形とほぼ同じであるセキュリティ用通信装置。
【請求項９】
請求項８に記載のセキュリティ用通信装置であって、
前記ブラケット側主面部は、略矩形形状の外形を備えており、
前記ブラケット側外周面部は、前記ブラケット側主面部の４つの端辺にそれぞれ対応した４つのブラケット側平面部を備えており、
前記ブラケット側配線収容部は、前記４つのブラケット側平面部のそれぞれに接しているセキュリティ用通信装置。
【請求項１０】
請求項９に記載のセキュリティ用通信装置であって、
前記本体側ケースは、さらに、
前記第１の本体側開口部および前記第２の本体側開口部が形成された略矩形形状の本体側主面部と、
前記本体側主面部の外周に形成された枠状の本体側外周面部であって、前記本体側主面部の４つの端辺にそれぞれ対応した４つの本体側平面部を含む本体側外周面部と、
前記本体側平面部のうちの１つと前記内部装置収容部との間に形成され、前記本体側主面部の端辺に沿って延伸した形状を有し、前記セキュリティ用通信装置の外部から前記セキュリティ用通信装置の内部に引き込まれて前記内部装置収容部に収容されている前記内部装置に接続される配線を収容するための本体側配線収容部と、を備えているセキュリティ用通信装置。
【請求項１１】
請求項１０に記載のセキュリティ用通信装置であって、
前記ブラケット側外周面部には、前記セキュリティ用通信装置の外部から前記ブラケット側配線収容部に配線を引き込むための切り欠き部を形成するための目地状の溝が形成されており、
前記本体側外周面部には、前記セキュリティ用通信装置の外部から前記本体側配線収容部に配線を引き込むための切り欠き部を形成するための目地状の溝が形成されているセキュリティ用通信装置。
【発明の詳細な説明】
【技術分野】
【０００１】
本発明は、壁面等に取り付けられるセキュリティ用通信装置に関する。
【背景技術】
【０００２】
従来から、家庭内、オフィス内、工場内等において防犯等の目的で使用されるセキュリティ用通信装置が知られている（引用文献１）。このセキュリティ用通信装置は、例えば、建物の壁面に取り付けられ、有線または無線の電話回線や、ＬＡＮ及びインターネット等の通信回線を介して建物内の異常を警備会社に通報する。このセキュリティ用通信装置に関して、取り付け金具を介して壁面に取り付けられるものが知られている。また、壁面を這わせた電源用や通信用等の配線を内部に引き込んだものが知られている。
【先行技術文献】
【特許文献】
【０００３】
【特許文献１】特開２０１１−１７５５９７号公報
【発明の概要】
【発明が解決しようとする課題】
【０００４】
このセキュリティ用通信装置は、装置の破壊や改変などを防ぐため、建物への侵入者等にその存在を気がつかれないように、できるだけ目立たなくすることが好ましい。そのため、セキュリティ用通信装置は、装置全体の大きさを小型化することが望まれていた。一方、小型化されたセキュリティ用通信装置は、装置の内部が狭いため、電源用配線等の配線を装置の内部に収容することが困難であった。従来から、セキュリティ用通信装置を設置する際に、装置に外部配線を引き込むと、引き込んだ配線の長さが余ることがあった。小型化されたセキュリティ用通信装置は、余った配線を装置の内部に収容することができないため、装置の周囲において配線が余った状態となる場合があった。この場合、セキュリティ用通信装置が小型化されているにも関わらず、装置周辺の余った配線によって、結果的に装置が目立ってしまうという問題があった。また、装置周辺の美観を損ねることになった。
【０００５】
そこで、本願発明者らは、セキュリティ用通信装置の本体部を壁面等に取り付ける際に、余った外部配線を収容可能な中間ブラケット部材を選択的に使用する構成を考案した。具体的には、装置周辺に配線が余る場合には、本体部と壁面部との間に中間ブラケット部材を介在させ、この中間ブラケット部材に外部配線を収容することによって、セキュリティ用通信装置を目立たなくすることを考案した。しかし、取り付け場所の状況に応じて中間ブラケットを選択的に使用する場合、セキュリティ用通信装置を壁面等に取り付ける際に使用するネジの長さが中間ブラケット部材を使用する場合と使用しない場合とで異なることになり、取り付けの作業性が低下する問題を発見した。また、長さの異なる複数のネジを用意した場合、使用されなかったネジが余って不要な資材が発生する問題を発見した。
【課題を解決するための手段】
【０００６】
上記課題を解決するために、本発明は、以下の形態として実現することが可能である。
【０００７】
（１）本発明の一形態によれば、セキュリティ用通信装置が提供される。このセキュリティ用通信装置は、取り付け面に固定される取り付け金具と、前記取り付け金具に直接的または間接的に取り付けられる本体部と、前記本体部を前記取り付け金具に間接的に取り付けるときに使用され、自身を介して前記本体部を前記取り付け金具に取り付けるための中間ブラケット部材と、前記本体部を前記取り付け金具に直接的または間接的に取り付けるときに、前記本体部を前記取り付け金具に固定するためのネジと、前記ネジが挿通される筒状のボス部材であって、前記ネジのネジ頭と前記本体部との間に介在するボス部材と、を備え、前記取り付け金具は、前記ネジと螺合する金具側雌ネジ部を含み、前記本体部は、前記ネジが挿通される第１の本体側開口部と、通信機能を有する内部装置を収容する内部装置収容部と、を含み、前記中間ブラケット部材は、前記中間ブラケット部材を前記取り付け金具に取り付けたときに、前記金具側雌ネジ部と対向する位置に形成されたブラケット側開口部と、前記本体部を前記中間ブラケット部材に取り付けたときに、前記セキュリティ用通信装置の外部から前記セキュリティ用通信装置の内部に引き込まれて前記本体部に収容されている前記内部装置に接続される配線を収容するためのブラケット側配線収容部と、を含み、前記ボス部材は、前記ネジが前記第１の本体側開口部に挿通されているときに、前記ネジのネジ頭と前記第１の本体側開口部との間に介在する前記ボス部材の介在部分の軸方向の長さを変更可能に構成されており、前記中間ブラケット部材を介して前記本体部を前記取り付け金具に取り付ける場合には、前記介在部分の前記軸方向の長さを相対的に短くすることによって前記第１の本体側開口部から前記ネジのネジ先までの距離を相対的に長くして前記ネジ先を前記金具側雌ネジ部に螺合させることができ、前記中間ブラケット部材を介さずに前記本体部を前記取り付け金具に取り付ける場合には、前記介在部分の前記軸方向の長さを相対的に長くすることによって前記第１の本体側開口部から前記ネジ先までの距離を相対的に短くして前記ネジ先を前記金具側雌ネジ部に螺合させることができることを特徴としている。
【０００８】
この構成によれば、建物への侵入者等にその存在を気がつかれないように、セキュリティ用通信装置をより目立たなくすることができる。具体的には、この構成によれば、セキュリティ用通信装置に外部配線を引き込んだ際に装置の周囲において配線の長さが余らなかった場合、または、目立たない程度に長さが余る場合には、中間ブラケット部材を使用せずにセキュリティ用通信装置の本体部を直接的に取り付け面に固定できる。そのため、装置全体の大きさを抑制することができる。一方、セキュリティ用通信装置に外部配線を引き込んだ際に装置の周囲において配線の長さが目立つ程度に余る場合には、中間ブラケット部材を使用することによって、中間ブラケット部材の内部の配線収容部に余った配線を収容することができる。これにより、装置周辺の余った配線によって装置が目立つようになることを抑制することができる。また、この構成によれば、選択的に中間ブラケット部材を使用してセキュリティ用通信装置の本体部を取り付け面に固定することができるため、取り付け場所の状況に応じてより目立たない構成を選択することができる。
【０００９】
また、この構成によれば、ボス部材は、ネジのネジ頭と第１の本体側開口部との間の長さを変更可能に構成されているため、同一のネジを使用して第１の本体側開口部から取り付け金具に向けて突出するネジの長さを変更させることができる。そのため、中間ブラケット部材を使用する場合と使用しない場合とで第１の本体側開口部から金具側雌ネジ部までの距離が変わっても、同一のネジによって、本体部を取り付け金具に固定することができる。すなわち、この構成によれば、長さの異なる複数のネジを選択的に使用する必要がないため、セキュリティ用通信装置を壁面等に取り付ける際の作業性の低下を抑制できる。また、使用されなかったネジなどの不要な資材の発生を抑制できる。
【００１０】
（２）上記形態のセキュリティ用通信装置において、前記ボス部材は、外周部に第１の係合部および第２の係合部を備え、前記第１の係合部および前記第２の係合部は、前記軸方向において、前記第１の係合部が前記第２の係合部よりも前記ネジのネジ頭に近い位置に形成されており、前記ボス部材は、前記ボス部材を前記第１の本体側開口部に挿通させた状態で、前記第１の係合部を前記第１の本体側開口部の開口端部と係合させることで、前記ネジ頭と接触する前記ボス部材の端部から前記第１の係合部が形成された位置までの部分が前記介在部分として前記ネジの前記ネジ頭と前記第１の本体側開口部との間に介在し、前記第２の係合部を前記開口端部と係合させることで、前記ボス部材の前記端部から前記第２の係合部が形成された位置までの部分が前記介在部分として前記ネジの前記ネジ頭と前記第１の本体側開口部との間に介在することを特徴としていてもよい。
【００１１】
この構成によれば、ボス部材は、第１の係合部を第１の本体側開口部の開口端部に係合させている状態と、第２の係合部を第１の本体側開口部の開口端部に係合させている状態とで、ネジのネジ頭と第１の本体側開口部との間の介在部分の長さを異ならせることができる。これにより、ボス部材は、ネジのネジ頭と第１の本体側開口部との間の長さを容易に変更可能に構成されている。
【００１２】
（３）上記形態のセキュリティ用通信装置において、前記第２の係合部は、前記軸方向に直交する方向に突出した突起部であり、前記第１の本体側開口部の開口形状は、前記第２の係合部が形成された位置における前記ボス部材の前記軸方向に直交する断面形状に対応する形状を備えており、前記ボス部材および前記本体部は、前記第１の本体側開口部の前記開口形状と、前記第２の係合部が形成された位置における前記ボス部材の前記断面形状との向きを一致させたときに、前記ボス部材の前記第２の係合部が形成された部分が前記第１の本体側開口部を通過可能となり、前記向きを一致させていないときには、前記第２の係合部が前記第１の本体側開口部の前記開口端部と接触して、前記ボス部材の前記第２の係合部が形成された部分が前記第１の本体側開口部を通過できないように構成されていることを特徴としていてもよい。
【００１３】
この構成によれば、ボス部材を軸回りに回転させて、第１の本体側開口部の開口形状と、第２の係合部が形成された位置におけるボス部材の断面形状との向きを一致させたときに、ボス部材の第２の係合部が形成された部分を第１の本体側開口部に挿通させることができる。これにより、第１の係合部を第１の本体側開口部の開口端部に係合させることができる。一方、ボス部材を軸回りに回転させて、第１の本体側開口部の開口形状と、第２の係合部が形成された位置におけるボス部材の断面形状との向きを一致させないことによって、第２の係合部を第１の本体側開口部の開口端部に係合させることができる。このように、この構成によれば、ボス部材を軸回りに回転させることによって、ボス部材の第２の係合部が形成された部分を第１の本体側開口部に挿通させるか否かの切り替えをおこなうことができる。すなわち、この構成によれば、ボス部材を軸回りに回転させることによって、ネジのネジ頭と第１の本体側開口部との間の介在部分の長さを容易に変更することができる。例えば、ネジ回しにネジとボス部材を取り付けた状態であっても、介在部分の高さを適宜調整することができる。また、ネジ回しと同じ操作で介在部分の高さを変更できるため作業が覚えやすくかつ容易である。
【００１４】
（４）上記形態のセキュリティ用通信装置において、前記第１の係合部は、前記軸方向に直交する方向に突出した突起部であり、前記ボス部材において、前記第１の係合部が形成された位置の前記軸方向に直交する断面形状は、前記第２の係合部が形成された位置の前記軸方向に直交する断面形状と同じであり、前記軸方向から見たときの向きが異なることを特徴としていてもよい。
【００１５】
この構成によれば、ボス部材は、第１の係合部が形成された位置の断面形状と、第２の係合部が形成された位置の断面形状とが同じ形状であり、それぞれの断面形状が、第１の本体側開口部の開口形状と対応する。そのため、ボス部材は、第１の係合部が形成された位置と第２の係合部が形成された位置のいずれも第１の本体側開口部を通過可能に構成されている。よって、ボス部材および本体部は、第１の本体側開口部のいずれの方向からもボス部材を挿通させることができる。これにより、セキュリティ用通信装置の取り付け時における作業性の向上を図ることができる。また、それぞれの断面形状は、軸方向から見たときの向きが異なるため、ボス部材の一方の係合部が形成された位置を第１の本体側開口部に挿通させたときに他方の係合部が形成された位置が誤って挿通されることを抑制できる。これにより、取り付け時の作業性をさらに向上させることができる。
【００１６】
（５）上記形態のセキュリティ用通信装置において、前記本体部は、前記軸方向を回転軸とした前記ボス部材の回転を規制する回転規制部を備え、前記回転規制部は、前記第１の係合部または前記第２の係合部に含まれる前記突起部のうち、前記第１の本体側開口部の前記開口端部と接触している前記突起部と係合することによって前記ボス部材の回転を規制することを特徴としていてもよい。
【００１７】
この構成によれば、第１の係合部または第２の係合部と、第１の本体側開口部の開口端部とを係合させると、回転規制部によってボス部材の軸回りの回転が規制される。これにより、意図しないボス部材の軸回りの回転によって、これらの係合部と開口端部との間の係合が解除されることを抑制できる。
【００１８】
（６）上記形態のセキュリティ用通信装置において、前記第１の本体側開口部は、前記本体部を第１の体勢で前記取り付け金具に直接的または間接的に取り付けるときに、前記金具側雌ネジ部と対向する位置に形成されており、前記本体部は、さらに、前記本体部を前記第１の体勢を反転させた第２の体勢で前記取り付け金具に直接的または間接的に取り付けるときに、前記金具側雌ネジ部と対向する位置に第２の本体側開口部を備えており、前記ボス部材は、前記ネジが前記第２の本体側開口部に挿通されているときに、前記ネジの前記ネジ頭と前記第２の本体側開口部との間に介在する前記ボス部材の介在部分の軸方向の長さを変更可能に構成されていることを特徴としていてもよい。
【００１９】
この構成によれば、本体部は第１の体勢または第２の体勢で取り付け金具に取り付け可能に構成されているため、本体部の配線引き込み位置を変更することができる。そのため、装置の周囲において配線の長さが余らない方の体勢を選択することができる。一般に、セキュリティ用通信装置は、電波の受信状態や設置場所によって、装置の向きや配置を変えたい場合がある。例えば、装置の外表面にアンテナ等の突起部がある場合には、その突起物が壁や天井に物理的に干渉しないように装置を配置する必要があり、また、装置が無線通信をおこなう場合、通信対象の位置とアンテナの位置との間に装置自身の本体部が位置すると、本体部が通信の障害となる可能性があるので、そのような配置を避けるように装置の向きを変える場合がある。この構成によれば、本体部にアンテナ等の突起物がある場合、本体部の周辺の物と干渉しない方の体勢を選択することができる。また、アンテナがある場合、アンテナの向きを変えることができるため、本体部と通信対象物との通信電波状況の良い方の体勢を選択することができる。
【００２０】
また、この構成によれば、ボス部材は、ネジのネジ頭と第２の本体側開口部との間の長さを変更可能に構成されているため、同一のネジを使用して第２の本体側開口部から突出するネジの長さを変更させることができる。そのため、中間ブラケット部材を使用する場合と使用しない場合とで第２の本体側開口部から金具側雌ネジ部までの距離が変わっても、同一のネジによって、本体部を取り付け金具に固定することができる。すなわち、この構成によれば、長さの異なる複数のネジを選択的に使用する必要がないため、セキュリティ用通信装置を壁面等に取り付ける際の作業性の低下を抑制できる。また、使用されなかったネジなどの不要な資材（ゴミ）の発生を抑制できる。
【００２１】
（７）上記形態のセキュリティ用通信装置において、前記中間ブラケット部材は、さらに、前記本体部を前記第１の体勢で前記中間ブラケット部材に取り付けたときに前記第２の本体側開口部と対向する位置であって、前記本体部を前記第２の体勢で前記中間ブラケット部材に取り付けたときに前記第１の本体側開口部と対向する位置に形成され、前記ネジと螺合するブラケット側雌ネジ部を備えていることを特徴としていてもよい。
【００２２】
この構成によれば、ブラケット側雌ネジ部は、本体部を第１の体勢で中間ブラケット部材に取り付けたときに、第２の本体側開口部と対向し、本体部を第２の体勢で中間ブラケット部材に取り付けたときに、第１の本体側開口部と対向する位置に形成されているため、セキュリティ用通信装置の本体部の大型化を抑制できる。具体的には、この構成によれば、中間ブラケット部材は、本体部に設けられた、本来、本体部を取り付け金具に固定するために使用される２つの本体側開口部のうち、取り付け金具との間の固定に使用されていない一方の開口部を、本体部と中間ブラケット部材との固定に使用することができる。そのため、本体部に中間ブラケット部材との間の固定に使用される開口部を別途設ける必要がない。よって、本体部の大型化を抑制しつつ本体部を中間ブラケット部材に固定することができる。また、この構成によれば、本体部を中間ブラケット部材に取り付けるとき、本体部を取り付け金具に取り付けるときと同様に、ボス部材とネジを使用する。よって、本体部を取り付け金具に取り付けるときの取り付け方法のみを覚えれば、本体部を中間ブラケット部材に取り付ける場合にも対応できるため、セキュリティ用通信装置を取り付ける際の作業性を高めることができる。また、この構成によれば、本体部は第１の体勢または第２の体勢で中間ブラケット部材に取り付け可能に構成されているため、本体部の周辺の物理的な状況や、通信電波状況に応じて体勢を変更することができる。
【００２３】
（８）上記形態のセキュリティ用通信装置において、前記中間ブラケット部材は、前記ブラケット側開口部および前記ブラケット側雌ネジ部が形成されたブラケット側主面部と、前記ブラケット側主面部の外周に形成された枠状のブラケット側外周面部とを備えており、前記本体部は、前記第１の本体側開口部および前記第２の本体側開口部が形成された本体側ケースを備えており、前記本体部を前記中間ブラケット部材に取り付けるときの取り付け方向から見たときの前記ブラケット側外周面部の外形は、前記本体側ケースを前記取り付け方向から見たときの外形とほぼ同じであることを特徴としていてもよい。
【００２４】
この構成によれば、本体部を中間ブラケット部材に取り付けるときの取り付け方向から見たときのセキュリティ用通信装置全体の大きさを抑制することができる。よって、セキュリティ用通信装置をより目立たなくすることができる。
【００２５】
（９）上記形態のセキュリティ用通信装置において、前記ブラケット側主面部は、略矩形形状の外形を備えており、前記ブラケット側外周面部は、前記ブラケット側主面部の４つの端辺にそれぞれ対応した４つのブラケット側平面部を備えており、前記ブラケット側配線収容部は、前記４つのブラケット側平面部のそれぞれに接していることを特徴としていてもよい。
【００２６】
この構成によれば、ブラケット側配線収容部は、４つのブラケット側平面部のそれぞれに接しているため、いずれのブラケット側平面部からも配線を引き込むことができる。よって、セキュリティ用通信装置の周囲において、壁面を這わせた配線の配線経路を目立つほど変化させずに装置に引き込むことができる。
【００２７】
（１０）上記形態のセキュリティ用通信装置において、前記本体側ケースは、さらに、前記第１の本体側開口部および前記第２の本体側開口部が形成された略矩形形状の本体側主面部と、前記本体側主面部の外周に形成された枠状の本体側外周面部であって、前記本体側主面部の４つの端辺にそれぞれ対応した４つの本体側平面部を含む本体側外周面部と、前記本体側平面部のうちの１つと前記内部装置収容部との間に形成され、前記本体側主面部の端辺に沿って延伸した形状を有し、前記セキュリティ用通信装置の外部から前記セキュリティ用通信装置の内部に引き込まれて前記内部装置収容部に収容されている前記内部装置に接続される配線を収容するための本体側配線収容部と、を備えていることを特徴としていてもよい。
【００２８】
この構成によれば、本体側配線収容部は、本体側平面部のうちの１つと内部装置収容部との間に形成され、本体側主面部の端辺に沿って延伸した形状を有している。これにより、本体側配線収容部を本体部の片側のみに設けて本体部の大型化を抑制しつつ、本体側外周面部のうち、内側が本体側収容部と接している部分から配線を本体部の内部に引き込むことができる。
【００２９】
（１１）上記形態のセキュリティ用通信装置において、前記ブラケット側外周面部には、前記セキュリティ用通信装置の外部から前記ブラケット側配線収容部に配線を引き込むための切り欠き部を形成するための目地状の溝が形成されており、前記本体側外周面部には、前記セキュリティ用通信装置の外部から前記本体側配線収容部に配線を引き込むための切り欠き部を形成するための目地状の溝が形成されていることを特徴としていてもよい。
【００３０】
この構成によれば、壁面を這わせた配線をセキュリティ用通信装置に引き込むための切り欠き部を容易に形成することができる。中間ブラケット部材を用いれば、電波受信対応やアンテナと周辺物体との接触回避だけでなく、同時に配線取込位置を自由に設定できる。よって、装置周辺で配線引き回しを必要以上におこなう必要がないので、装置をより目立たなくすることができる。
【００３１】
なお、本発明は、種々の態様で実現することが可能であり、例えば、セキュリティ用通信装置の本体部を取り付け金具に間接的に取り付けるときに使用され、自身を介して本体部を取り付け金具に取り付けるための中間ブラケット部材、セキュリティ用通信装置、セキュリティ用通信装置の取り付け構造、取り付け方法、セキュリティ用通信装置の製造方法、セキュリティ用通信装置を含んだセキュリティシステムなどの形態で実現することができる。
【図面の簡単な説明】
【００３２】
【図１】セキュリティ用通信装置を例示した図。
【図２】セキュリティ用通信装置を例示した斜視図。
【図３】セキュリティ用通信装置の取り付け方法を例示した第１の斜視図。
【図４】セキュリティ用通信装置の取り付け方法を例示した第２の斜視図。
【図５】第２の取り付け方法で取り付けられたセキュリティ用通信装置を示した図。
【図６】第２の取り付け方法で取り付けられたセキュリティ用通信装置の斜視図。
【図７】セキュリティ用通信装置の第２の取り付け方法を例示した第１の斜視図。
【図８】セキュリティ用通信装置の第２の取り付け方法を例示した第２の斜視図。
【図９】ブラケット部材を含まないセキュリティ用通信装置の第１の分解斜視図。
【図１０】ブラケット部材を含まないセキュリティ用通信装置の第２の分解斜視図。
【図１１】ブラケット部材を含まないセキュリティ用通信装置の第３の分解斜視図。
【図１２】中間ブラケット部材を含むセキュリティ用通信装置の第１の分解斜視図。
【図１３】中間ブラケット部材を含むセキュリティ用通信装置の第２の分解斜視図。
【図１４】中間ブラケット部材を含むセキュリティ用通信装置の第３の分解斜視図。
【図１５】取り付け金具を例示した図。
【図１６】取り付け金具を例示した斜視図。
【図１７】本体側ケースを例示した図。
【図１８】本体側ケースを例示した斜視図。
【図１９】中間ブラケット部材を例示した図。
【図２０】中間ブラケット部材を例示した斜視図。
【図２１】ボス部材を例示した図である。
【図２２】ボス部材を例示した斜視図である。
【図２３】ボス部材の断面図である。
【図２４】ボス部材の取り付け方法例示した図である。
【図２５】本体側ケースを直接的に取り付け金具に取り付けた図である。
【図２６】図２５の本体側ケースおよび取り付け金具の斜視図である。
【図２７】図２５のＡ−Ａ断面およびＢ−Ｂ断面を例示した図である。
【図２８】本体側ケースを間接的に取り付け金具に取り付けた図である。
【図２９】図２８の本体側ケースおよび中間ブラケット部材の斜視図である。
【図３０】図２８のＡ−Ａ断面およびＢ−Ｂ断面を例示した図である。
【図３１】変形例のボス部材を例示した図である。
【発明を実施するための形態】
【００３３】
Ａ．第１実施形態：
図１は、セキュリティ用通信装置１０を例示した図である。図１（ａ）〜（ｅ）は、それぞれ、セキュリティ用通信装置１０の正面図、上面図、底面図、右側面図、および、左側側面図である。図２は、セキュリティ用通信装置の斜視図である。以後、図１（ａ）に示されたセキュリティ用通信装置１０の紙面上方側を「セキュリティ用通信装置１０の上方側」、紙面下方側を「セキュリティ用通信装置１０の下方側」、紙面右側を「セキュリティ用通信装置１０の右側」、紙面左側を「セキュリティ用通信装置１０の左側」とも呼ぶ。
【００３４】
セキュリティ用通信装置１０は、略直方体形状の外観を備えており、例えば、家庭内、オフィス内、工場内等の壁面や天井面など取り付け面２０に取り付けられる。本実施形態の取り付け面２０は、ほぼ鉛直の壁面であるが、取り付け面２０は、傾斜面や水平面であってもよく、また曲面であってもよい。セキュリティ用通信装置１０は、例えば、家庭の壁面や柱面等に取り付けられ、有線または無線の電話回線や、ＬＡＮ及びインターネットを介して建物内の異常を警備会社に通報するように構成されていてもよい。本実施形態のセキュリティ用通信装置１０は、右側の側面部に無線通信用のアンテナ１２１が取り付けられている。アンテナ１２１は、棒状の外形を有しており、基端部がセキュリティ用通信装置１０の本体部に回動可能に固定されている。
【００３５】
図３は、セキュリティ用通信装置１０の取り付け方法を例示した斜視図である。図３に示すように、セキュリティ用通信装置１０は、本体部１００と、取り付け金具２００とを含んでいる。取り付け金具２００は、ネジや釘等の固定部材によって取り付け面２０に直接固定されている。以後、図３に示された取り付け金具２００の紙面上方側を「取り付け金具２００の上方側」、紙面下方側を「取り付け金具２００の下方側」とも呼ぶ。図３に示すように、本体部１００は、上方側が取り付け金具２００の上方側に対向し、下方側が取り付け金具２００の下方側に対向する体勢（以後、「第１の体勢」とも呼ぶ）で取り付け金具２００に取り付け可能に構成されている。
【００３６】
図４は、本体部１００が、第１の体勢の上下及び左右をそれぞれ反転させた体勢（以後、「第２の体勢」とも呼ぶ）で取り付け金具２００に取り付けられる状態を示している。本体部１００を第１の体勢および第２の体勢で取り付け金具２００に固定するための具体的な方法については後述する。このように、セキュリティ用通信装置１０は、本体部１００を第１の体勢または第２の体勢で取り付け金具２００に取り付け可能に構成されているため、アンテナ１２１などの突起物が本体部１００の周辺の物体と物理的に干渉しない方の体勢を選択することができる。また、アンテナ１２１と本体部１００との相対的な位置を変えることができるため、本体部１００と通信対象物との通信電波状況の良い方の体勢を選択することができる。また、本体部１００における配線Ｗの引き込み位置を変えることができるため、後述するように、本体部１００に配線Ｗを引き込む際に引き込まれる配線Ｗが目立たない方の体勢を選択することができる。
【００３７】
セキュリティ用通信装置１０は、上述のように、本体部１００を直接的に取り付け金具２００に取り付けることができるほか、後述する中間ブラケット部材３００を介して本体部１００を間接的に取り付け金具２００に取り付けることができる。以後、本体部１００を直接的に取り付け金具２００に取り付ける方法を「第１の取り付け方法」とも呼ぶ。また、後述する中間ブラケット部材３００を介して本体部１００を間接的に取り付け金具２００に取り付ける方法を「第２の取り付け方法」とも呼ぶ。
【００３８】
図５は、第２の取り付け方法で取り付けられたセキュリティ用通信装置１０を例示した図である。図５（ａ）〜（ｅ）は、それぞれ、図１（ａ）〜（ｅ）と同様の方向から見た状態を例示している。図６は、図２と同様の方向から見た斜視図である。第２の取り付け方法で取り付けられるセキュリティ用通信装置１０は、本体部１００および取り付け金具２００のほか、中間ブラケット部材３００を含んでおり、全体として略直方体形状を備えている。中間ブラケット部材３００は、セキュリティ用通信装置１０を取り付け面２０に取り付けるときに、本体部１００と取り付け面２０との間に配置され、セキュリティ用通信装置１０を自身の厚み分だけ取り付け面２０から離した状態で本体部１００を支持する。図５（ａ）に示すように、中間ブラケット部材３００は、セキュリティ用通信装置１０を正面視したときの外周部の形状が本体部１００の外周部の形状と概ね一致するように構成されている。これにより、中間ブラケット部材３００を使用してセキュリティ用通信装置１０を取り付け面２０に取り付けた場合であっても、セキュリティ用通信装置１０の外観を目立たなくすることができる。中間ブラケット部材３００は、例えば、樹脂等の射出形成によって製造することができる。
【００３９】
図７は、第２の取り付け方法によってセキュリティ用通信装置１０を取り付け面２０に取り付ける方法を例示した説明図である。中間ブラケット部材３００は、取り付け面２０に固定された取り付け金具２００に直接固定される。中間ブラケット部材３００を取り付け金具２００に固定する具体的な方法については後述する。以後、図７に示された中間ブラケット部材３００の紙面上方側を「中間ブラケット部材３００の上方側」、紙面下方側を「中間ブラケット部材３００の下方側」とも呼ぶ。本体部１００は、第１の体勢または第２の体勢で中間ブラケット部材３００に取り付け可能に構成されている。図７は、本体部１００が第１の体勢、すなわち、本体部１００の上方側が金具２００の上方側に対向し、下方側が金具２００の下方側に対向する体勢で中間ブラケット部材３００に取り付けられる状態が示されている。
【００４０】
図８は、本体部１００が、第２の体勢で取り付け金具２００に取り付けられる状態を示している。本体部１００を中間ブラケット部材３００に固定するための具体的な方法については後述する。このように、セキュリティ用通信装置１０は、第２の取り付け方法によっても、本体部１００を第１の体勢または第２の体勢で中間ブラケット部材３００に取り付け可能に構成されているため、本体部１００の周辺の物理的な状況や、通信電波状況に応じて本体部１００の体勢を変更することができる。すなわち、セキュリティ用通信装置１０を取り付ける際に、図３、４、７、８に示した４つの取り付け方法のいずれかのうちで、本体部１００の周辺の物理的な状況、通信状態を考慮して最適なものを選択することができる。
【００４１】
図９〜図１１は、中間ブラケット部材３００を用いない第１の取り付け方法で取り付けられるセキュリティ用通信装置１０の分解斜視図である。図９〜図１１には、それぞれ、後述する内部装置１２０に接続される配線Ｗの第１の配線経路、第２の配線経路、および、第３の配線経路が示されている。図９〜１１では、本体部１００は第１の体勢で取り付け金具２００に取り付けられている。
【００４２】
本体部１００は、外側ケース１１０と、内部装置１２０と、本体側ケース４００とを含んでいる。外側ケース１１０は、開口端を備える略函状の外形を有しており、略矩形形状の外側ケース主面部１１１と、外側ケース主面部１１１の外周に形成された枠状の外側ケース外周面部１１２とを備えている。本体側ケース４００は、略矩形形状の本体側主面部４０１と、本体側主面部４０１の外周に形成された枠状の本体側外周面部４１０とを備えている。本体側ケース４００は、本体側外周面部４１０に囲まれた領域内に、内部装置１２０を収容するための内部装置収容部ＭＳと、内部装置１２０から外部に延びる配線Ｗを収容するための本体側配線収容部ＳＳが形成されている。本体側ケース４００の本体側主面部４０１には、必要に応じて、内部装置１２０から延びる配線Ｗを本体側ケース４００の裏側に挿通させる（図１１参照）ための本体側配線用開口部４４０が形成されている。
【００４３】
外側ケース１１０の外側ケース外周面部１１２によって形成される開口端と、本体側ケース４００の本体側外周面部４１０によって形成される開口端は、ほぼ同じ形状している。外側ケース外周面部１１２の開口端と本体側外周面部４１０の開口端とを重ね合わせることによって、内側に内部装置１２０を収容した状態で、外側ケース１１０を本体側ケース４００に固定することができる。中間ブラケット部材３００を用いない第１の取り付け方法の場合、ネジ６００が取り付けられたボス部材５００を用いて、本体側ケース４００が取り付け金具２００に直接固定される。ネジ６００およびボス部材５００の構成については後述する。なお、外側ケース１１０と本体側ケース４００は、例えば、樹脂等の射出形成によって製造することができる。
【００４４】
内部装置１２０は、無線通信機能を有しており、基板部１２２と、電源部１２３と、アンテナ１２１を備えている。基板部１２２と電源部１２３は、本体側ケース４００の内部装置収容部ＭＳに収容されている。内部装置１２０には、セキュリティ用通信装置１０の外部からセキュリティ用通信装置１０の内部に引き込まれた配線Ｗが接続されている。この配線Ｗは、例えば、電源供給用の電源用配線と、建物内の他の装置（例えば、監視カメラ）との通信用の配線の少なくとも一方の機能を有する配線であり、これらの両方の機能を有していてもよい。
【００４５】
セキュリティ用通信装置１０は、取り付け面２０を含む壁面上を這わせた配線、および、取り付け面２０の裏側から取り付け面２０に設けられた開口部２１を介して取り出される配線のいずれも引き込み可能に構成されている。第１の取り付け方法で取り付けられたセキュリティ用通信装置１０は、内部に引き込まれた配線Ｗを図９〜図１１に示す配線経路のうちの少なくとも１つの配線経路によって内部装置１２０に接続させることができる。
【００４６】
例えば、図９に示すように、取り付け面２０を含む壁面上を這わせた配線Ｗをセキュリティ用通信装置１０に引き込む場合、本体側ケース４００の本体側外周面部４１０のうち、内側が本体側配線収容部ＳＳと接する部分を切り欠いて切り欠き部ＣＰを形成し、この切り欠き部ＣＰを介してセキュリティ用通信装置１０の内部に引き込むことができる。図９では、本体側外周面部４１０の上方側の面のうち、左側の端部付近に切り欠き部ＣＰが形成されている。引き込まれた配線Ｗは、先端部が内部装置１２０の所定の位置に接続される。また、先端部と切り欠き部ＣＰとの間の配線Ｗは、本体側配線収容部ＳＳに収容される。なお、切り欠き部ＣＰを形成する位置については、本体側外周面部４１０のうち、内側が本体側配線収容部ＳＳと接する部分であれば図９で示した位置に限定されない。例えば、図１０に示すように、本体側外周面部４１０の下方側の面のうち、左側の端部付近に切り欠き部ＣＰを形成して配線Ｗを引き込んでもよい。この場合であっても、引き込まれた配線Ｗの先端部を内部装置１２０の所定の位置に接続することができる。また、内部装置１２０に接続された先端部と切り欠き部ＣＰとの間の配線Ｗを本体側配線収容部ＳＳに収容することができる。
【００４７】
一方、例えば、図１１に示すように、取り付け面２０の裏側から取り付け面２０に設けられた開口部２１を介して取り出される配線Ｗをセキュリティ用通信装置１０に引き込む場合、まず、取り付け面２０に設けられた開口部２１と取り付け金具２００に設けられた金具側開口部２４０とが連通するように取り付け金具２００を取り付ける。そして、取り付け金具２００の金具側開口部２４０を介して、取り付け面２０の裏側から配線Ｗを取り出す。金具側開口部２４０から取り出された配線Ｗを本体側ケース４００の本体側配線用開口部４４０を挿通させて内部装置１２０の所定の位置に接続させることができる。
【００４８】
図１２〜図１４は、中間ブラケット部材３００を用いる第２の取り付け方法で取り付けられるセキュリティ用通信装置１０の分解斜視図である。図１２〜図１４には、それぞれ、内部装置１２０に接続される配線Ｗの第４の配線経路、第５の配線経路、および、第６の配線経路が例示されている。図１２〜図１４では、本体部１００は第１の体勢で中間ブラケット部材３００に取り付けられた状態が例示されている。第２の取り付け方法の場合、ネジ６００が取り付けられたボス部材５００を用いて、本体側ケース４００が中間ブラケット部材３００に直接固定される。また、ネジ６００が取り付けられたボス部材５００を用いて、中間ブラケット部材３００を介して、本体側ケース４００が取り付け金具２００に直接固定される。ネジ６００およびボス部材５００を用いた取り付け構成については後述する。
【００４９】
中間ブラケット部材３００は、略矩形形状のブラケット側主面部３０１と、ブラケット側主面部３０１の外周に形成された枠状のブラケット側外周面部３１０とを備えている。中間ブラケット部材３００は、ブラケット側外周面部３１０に囲まれた領域に、内部装置１２０から延びる配線Ｗを収容するためのブラケット側配線収容部ＷＳが形成されている。ブラケット側主面部３０１には、必要に応じて、内部装置１２０から延びる配線Ｗを中間ブラケット部材３００の裏側に挿通させる（図１４参照）ためのブラケット側配線用開口部３４０が形成されている。ブラケット側外周面部３１０によって形成される開口端は、本体側主面部４０１の外周部と、ほぼ同じ形状している。中間ブラケット部材３００は、ブラケット側外周面部３１０の開口端を本体側ケース４００の本体側主面部４０１に接触させた状態で本体部１００を支持する。第２の取り付け方法で取り付けられたセキュリティ用通信装置１０は、内部に引き込まれた配線Ｗを図１２〜図１４に示す配線経路のうちの少なくとも１つの配線経路によって内部装置１２０に接続させることができる。
【００５０】
例えば、図１２に示すように、取り付け面２０を含む壁面上を這わせた配線Ｗをセキュリティ用通信装置１０に引き込む場合、ブラケット側外周面部３１０の任意の部分に切り欠き部ＣＰを形成し、この切り欠き部ＣＰを介してセキュリティ用通信装置１０の内部に引き込むことができる。図１２では、切り欠き部ＣＰを形成する位置の一例として、ブラケット側外周面部３１０の上方側の面のうち、右側の端部付近に切り欠き部ＣＰが形成されている。引き込まれた配線Ｗは、先端部が内部装置１２０の所定の位置に接続される。また、先端部と切り欠き部ＣＰとの間の配線Ｗは、ブラケット側配線収容部ＷＳに収容される。切り欠き部ＣＰから引き込まれた配線Ｗは、ブラケット側配線収容部ＷＳの内部において、配線方向を変化させ、本体側配線用開口部４４０を介して内部装置１２０の所定の位置に接続される。なお、切り欠き部ＣＰを形成する位置については、図１２で示した位置に限定されない。例えば、図１３に示すように、本体側外周面部４１０の下方側の面のうち、左側の端部付近に切り欠き部ＣＰを形成して配線Ｗを引き込んでもよい。また、他の例として、ブラケット側外周面部３１０の左右の側面を切り欠いて切り欠き部ＣＰを形成してもよい。これらの場合であっても、切り欠き部ＣＰから引き込まれた配線をブラケット側配線収容部ＷＳの内部において、配線方向を変化させ、本体側配線用開口部４４０を介して内部装置１２０の所定の位置に接続させることができる。このとき、ブラケット側配線収容部ＷＳの内部において、長さの余った配線Ｗを収容することができる。そのため、セキュリティ用通信装置１０の外部において長さの余った配線Ｗが目立つことを抑制することができる。
【００５１】
一方、例えば、図１４に示すように、取り付け面２０の裏側から取り付け面２０に設けられた開口部２１を介して取り出される配線Ｗをセキュリティ用通信装置１０に引き込む場合、まず、取り付け面２０に設けられた開口部２１と取り付け金具２００に設けられた金具側開口部２４０とが連通するように金具２００を取り付ける。そして、取り付け金具２００の金具側開口部２４０を介して、取り付け面２０の裏側から配線Ｗを取り出す。金具側開口部２４０から取り出された配線Ｗをブラケット側配線用開口部３４０および本体側配線用開口部４４０を挿通させて内部装置１２０の所定の位置に接続させることができる。このとき、ブラケット側配線収容部ＷＳの内部に、長さの余った配線Ｗを収容することができる。このように、セキュリティ用通信装置１０は、図９〜１４に例示された配線経路のうちで、セキュリティ用通信装置１０の周辺の配線の状況、装置自体の大きさ考慮して最も目立たない構成を選択することができる。
【００５２】
図１５は、取り付け金具２００を例示した図である。図１５（ａ）〜（ｅ）は、それぞれ、取り付け金具２００の正面図、上面図、底面図、右側側面図、および、左側側面図である。図１６は、取り付け金具２００の斜視図である。
【００５３】
取り付け金具２００は、金具側主面部２０１と、金具側固定部２１０と、一対の金具側係合部２２０、２３０（第１の金具側係合部２２０と第２の金具側係合部２３０）と、を備えている。金具側主面部２０１は、略矩形形状の外形を備え、孔部２０２、２０３に取り付けたネジや釘等の固定部材によって取り付け面２０に固定される。金具側主面部２０１の略中央部には、上述した金具側開口部２４０が形成されている。
【００５４】
金具側固定部２１０は、本体部１００を取り付け金具２００に固定するための部位であって、金具側主面部２０１の上方側の端辺に形成されている。金具側固定部２１０には、金具側雌ネジ部２１１が形成されており、ネジを用いて、本体部１００を、直接、または、中間ブラケット部材３００を介して取り付け金具２００に固定可能に構成されている。具体的には、本体部１００に設けられた後述する本体側開口部４５０、４６０（図１７）に挿通されたネジ６００（図２３）を直接、または、中間ブラケット部材３００を介して金具側雌ネジ部２１１に螺合させることによって、本体部１００を取り付け金具２００に固定する。
【００５５】
一対の金具側係合部２２０、２３０は、本体部１００または中間ブラケット部材３００を固定するための部位であって、金具側主面部２０１の左右の両端辺に形成されている。一対の金具側係合部２２０、２３０は、それぞれ、本体部１００または中間ブラケット部材３００と係合することによって、本体部１００または中間ブラケット部材３００を取り付け金具２００に固定する。このように、取り付け金具２００は、金具側固定部２１０および一対の金具側係合部２２０、２３０のそれぞれが互いに異なる金具側主面部２０１の端辺に形成されている。これにより、取り付け金具２００と本体部１００とを互いに直線状に並ばない３箇所で固定することができるとともに、この３箇所の互いの距離を大きくすることができ、取り付け金具２００と、本体部１００との間の固定をより安定化させることができる。なお、本実施形態の一対の金具側係合部２２０、２０３は、それぞれ先端が上方側を向いたフックとして構成されている。本実施形態では、金具側係合部２２０、２０３に引っ掛けられて前後左右方向の移動が規制された本体部１００は、金具側雌ネジ部２１１を用いてネジ止めされることによって上下方向の移動が規制され、取り付け金具２００に固定される。一方、金具側係合部２２０、２０３に引っ掛けられた中間ブラケット部材３００は、本体部１００が金具側雌ネジ部２１１を用いてネジ止めされることによって上下方向の移動が規制されて、本体部１００と取り付け金具２００とに挟持された状態で取り付け金具２００に固定される。
【００５６】
図１７は、本体側ケース４００を例示した図である。図１７（ａ）〜（ｅ）は、それぞれ、本体側ケース４００の正面図、上面図、底面図、右側側面図、および、左側側面図である。図１８は、本体側ケース４００の斜視図である。
【００５７】
本体側ケース４００は、本体側主面部４０１と、本体側外周面部４１０のほか、一対の本体側金具係合部４２０、４３０（第１の本体側金具係合部４２０と第２の本体側金具係合部４３０）と、第１の本体側開口部４５０と、第２の本体側開口部４６０とを備えている。本体側主面部４０１の略中央部には、上述した本体側配線用開口部４４０が形成されている。
【００５８】
一対の本体側金具係合部４２０、４３０は、取り付け金具２００の一対の金具側係合部２２０、２３０とそれぞれ係合するための部位であって、本体側主面部４０１の左右の両端辺の略中央に形成されている。本実施形態では、一対の本体側金具係合部４２０、４３０は、それぞれ上下方向に延伸した開口部として構成されている。本体側ケース４００を第１の体勢で取り付け金具２００に取り付けるとき、第１の本体側金具係合部４２０が第１の金具側係合部２２０と係合し、第２の本体側金具係合部４３０が第２の金具側係合部２３０と係合する。また、本体側ケース４００を第２の体勢で取り付け金具２００に取り付けるとき、第１の本体側金具係合部４２０が第２の金具側係合部２３０と係合し、第２の本体側金具係合部４３０が第１の金具側係合部２２０と係合する。本体側ケース４００は、第１の体勢であっても第２の体勢であっても、一対の本体側金具係合部４２０、４３０に一対の金具側係合部２２０、２０３を挿通させた後、本体側ケース４００を下方向にスライドさせることで取り付け金具２００に仮固定される。
【００５９】
第１の本体側開口部４５０は、第１の体勢の本体側ケース４００を取り付け金具２００に固定する際にネジ６００（図２３）が挿通される部位であって、本体側ケース４００を第１の体勢で取り付け金具２００に取り付けたときに金具側雌ネジ部２１１に対向する位置に形成されている。本実施形態では、第１の本体側開口部４５０は、本体側主面部４０１の上方側の端辺に形成されている。
【００６０】
第２の本体側開口部４６０は、第２の体勢の本体側ケース４００を取り付け金具２００に固定する際にネジ６００（図２３）が挿通される部位であって、本体側ケース４００を第２の体勢で取り付け金具２００に取り付けたときに金具側雌ネジ部２１１に対向する位置に形成されている。本実施形態では、第２の本体側開口部４６０は、本体側主面部４０１の下方側の端辺に形成されている。
【００６１】
第１の本体側開口部４５０と第２の本体側開口部４６０は、本体側主面部４０１の中心点を対象点として略点対称となる位置に形成されている。第１の本体側開口部４５０と第２の本体側開口部４６０は、それぞれ貫通した孔部であり、いずれか一方に挿通されたネジのネジ先を金具側雌ネジ部２１１に螺合させることによって、本体側ケース４００を取り付け金具２００に容易に固定することができる。本体側ケース４００を取り付け金具２００に取り付ける場合には、まず、一対の本体側金具係合部４２０、４３０に一対の金具側係合部２２０、２０３を挿通させた後、本体側ケース４００を下方向にスライドさせることで本体側ケース４００を仮固定し、その後、第１または第２の本体側開口部４５０、４６０に挿通させたネジを金具側雌ネジ部２１１に螺合させることによって、本体側ケース４００を固定することができる。
【００６２】
第１の本体側開口部４５０および一対の本体側金具係合部４２０、４３０のそれぞれは、互いに異なる本体側主面部４０１の端辺に形成されている。また、第２の本体側開口部４６０も一対の本体側金具係合部４２０、４３０と異なる本体側主面部４０１の端辺に形成されている。これにより、本体側ケース４００を第１の体勢および第２の体勢で取り付け金具２００に取り付けたとき、いずれの場合にも、本体側ケース４００を互いに直線状に並ばない３箇所で固定することができるとともに、この３箇所の互いの距離を大きくすることができ、取り付け金具２００との間の固定をより安定化させることができる。
【００６３】
本体側外周面部４１０は、本体側主面部４０１の上方側端部に形成される上方側本体外周平面部４１１と、下方側端部に形成される下方側本体外周平面部４１２と、右側端部に形成される右側本体外周平面部４１３と、左側端部に形成される左側本体外周平面部４１４とを備えている。この４つの本体外周平面部４１１〜４１４と本体側主面部４０１によって本体側配線収容部ＳＳおよび内部装置収容部ＭＳが形成されている。右側本体外周平面部４１３には、アンテナ取り出し部４１６が形成されている。これにより、内部装置１２０を内部装置収容部ＭＳに設置したときにアンテナ１２１を本体部１００の外側に配置することができる。上方側本体外周平面部４１１と下方側本体外周平面部４１２には、本体側ケース係合部４８１、４８２がそれぞれ形成されている。本体側ケース係合部４８１、４８２は、外側ケース１１０を本体側ケース４００に取り付けたときに、外側ケース１１０の外側ケース外周面部１１２と係合する。本体側ケース係合部４８２は、２つの爪部から形成されており、この２つの爪部を同時に押圧しないと外側ケース１１０を取り外せない構成となっている。
【００６４】
本体側配線収容部ＳＳと内部装置収容部ＭＳは、上下に延びる区画部４０２によって区画されている。そのため、本体側配線収容部ＳＳは、４つの本体外周平面部４１１〜４１４のうち、左側本体外周平面部４１４と、上方側本体外周平面部４１１および下方側本体外周平面部４１２の左側端部のみと接している。本体側配線収容部ＳＳは、左側本体外周平面部４１４と内部装置収容部ＭＳとの間に形成され、本体側主面部４０１の端辺に沿って上下方向に延伸した形状を有している。これにより、本体部１００は、本体側配線収容部ＳＳを本体部１００の片側のみに設けて本体部１００の大型化を抑制しつつ、本体側外周面部４１０のうち、内側が本体側収容部ＳＳと接している部分から配線Ｗを本体部１００の内部に引き込むことができる。また、本体側外周面部４１０のうち、内側が本体側配線収容部ＳＳと接触する部分には、切り欠き部ＣＰの形成を容易にするために、複数の目地状の溝３１５が形成されていてもよい。溝３１５は、本体側外周面部４１０の厚みが薄くなるように、本体側ケース４００の開口端側から本体側主面部４０１に向かう方向に沿って形成されている。本実施形態では、上方側本体外周平面部４１１および下方側本体外周平面部４１２の左側端部のみに形成されているが、左側本体外周平面部４１４にも形成されていてもよい。
【００６５】
内部装置収容部ＭＳは、第１の本体側開口部４５０と第２の本体側開口部４６０との間に形成されている。これにより、セキュリティ用通信装置１０の小型化を図ることができる。すなわち、内部装置収容部ＭＳが第１の本体側開口部４５０と第２の本体側開口部４６０との間に配置されていれば、本体部１００を第１の体勢および第２の体勢のいずれの体勢で中間ブラケット部材３００に取り付けても、セキュリティ用通信装置１０を取り付け方向から見たとき、すなわち正面視したときの内部装置収容部ＭＳの位置がほぼ変わらない。そのため、本体部１００を第１の体勢および第２の体勢のいずれの体勢で中間ブラケット部材３００に取り付けた場合であっても、中間ブラケット部材３００のブラケット側配線収容部ＷＳと内部装置収容部ＭＳとがほぼ重なるように構成することができる。
【００６６】
図１９は、中間ブラケット部材３００を例示した図である。図１９（ａ）〜（ｅ）は、それぞれ、中間ブラケット部材３００の正面図、上面図、底面図、右側側面図、および、左側側面図である。図２０は、中間ブラケット部材３００の斜視図である。
【００６７】
中間ブラケット部材３００は、ブラケット側主面部３０１と、ブラケット側外周面部３１０のほか、一対のブラケット側金具係合部３２０、３３０（第１のブラケット側金具係合部３２０と第２のブラケット側金具係合部３３０）と、ブラケット側開口部３５０と、ブラケット側雌ネジ部３６０、とを備えている。ブラケット側主面部３０１の略中央部には、上述したブラケット側配線用開口部３４０が形成されている。
【００６８】
一対のブラケット側金具係合部３２０、３３０は、取り付け金具２００の一対の金具側係合部２２０、２３０とそれぞれ係合するための部位であって、ブラケット側主面部３０１の左右の両端辺の略中央に形成されている。本実施形態の一対のブラケット側金具係合部３２０、３３０は、それぞれ上下方向に延伸した開口部として構成されている。中間ブラケット部材３００を取り付け金具２００に取り付けるとき、第１のブラケット側金具係合部３２０が第１の金具側係合部２２０と係合し、第２のブラケット側金具係合部３３０が第２の金具側係合部２３０と係合する。中間ブラケット部材３００は、一対のブラケット側金具係合部３２０、３３０に一対の金具側係合部２２０、２０３を挿通させた後、中間ブラケット部材３００を下方向にスライドさせることで取り付け金具２００に仮固定される。
【００６９】
ブラケット側開口部３５０は、中間ブラケット部材３００に取り付けられた本体側ケース４００を取り付け金具２００に固定するためのネジが挿通される部位であって、中間ブラケット部材３００を取り付け金具２００に取り付けたときに金具側雌ネジ部２１１に対向する位置に形成されている。本実施形態では、ブラケット側開口部３５０は、中間ブラケット部材３００を取り付け金具２００に取り付けたときに金具側固定部２１０が挿通される。なお、ブラケット側開口部３５０は、金具側雌ネジ部２１１に螺合されるネジが挿通されてもよい。中間ブラケット部材３００を取り付け金具２００に取り付ける場合には、まず、一対の本体側金具係合部４２０、４３０に一対のブラケット側金具係合部３２０、３３０を挿通させた後、中間ブラケット部材３００を下方向にスライドさせることで中間ブラケット部材３００を仮固定する。その後、中間ブラケット部材３００に本体側ケース４００を取り付け、本体側ケース４００の第１の本体側開口部４５０または第２の本体側開口部４６０に挿通されたネジを、ブラケット側開口部３５０から突出した金具側固定部２１０の金具側雌ネジ部２１１に螺合させることによって、中間ブラケット部材３００を固定することができる。
【００７０】
ブラケット側雌ネジ部３６０は、本体側ケース４００を中間ブラケット部材３００に固定するための部位であって、第１の体勢の本体部１００を中間ブラケット部材３００に取り付ける場合には、第２の本体側開口部４６０と対向し、第２の体勢の本体部１００を中間ブラケット部材３００に取り付ける場合には、第１の本体側開口部４５０と対向する位置に形成されている。この構成によれば、中間ブラケット部材３００は、本体部１００に設けられた、本来、本体部１００を取り付け金具２００に固定するための２つの本体側開口部４５０、４６０のうち、取り付け金具２００との間の固定に使用されていない一方の開口部を、本体部１００と中間ブラケット部材３００との固定に使用することができる。そのため、本体部１００に中間ブラケット部材３００との間の固定に使用される本体側開口部を別途設ける必要がない。よって、本体部１００の大型化を抑制しつつ本体部１００を中間ブラケット部材に固定することができる。本実施形態では、ブラケット側雌ネジ部３６０は、ブラケット側主面部３０１の下方側の端辺に形成されている。
【００７１】
ブラケット側外周面部３１０は、ブラケット側主面部３０１の上方側端部に形成される上方側ブラケット外周平面部３１１と、下方側端部に形成される下方側ブラケット外周平面部３１２と、右側端部に形成される右側ブラケット外周平面部３１３と、左側端部に形成される左側ブラケット外周平面部３１４とを備えている。この４つのブラケット外周平面部３１１〜３１４とブラケット側主面部３０１によってブラケット側配線収容部ＷＳが形成されている。本体部１００を中間ブラケット部材３００に取り付けるときの取り付け方向から見たときのブラケット側外周面部３１０の外形は、本体側ケース４００をその取り付け方向から見たときの外形とほぼ同じである。この構成によれば、本体部１００を中間ブラケット部材３００に取り付けるときの取り付け方向から見たときのセキュリティ用通信装置１０の全体の大きさを抑制することができる。右側ブラケット外周平面部３１３と左側ブラケット外周平面部３１４には、ブラケット側移動規制部３８１、３８２がそれぞれ形成されている。ブラケット側移動規制部３８１、３８２は、本体部１００を中間ブラケット部材３００に取り付けたときに、本体側ケース４００と係合する。
【００７２】
ブラケット側配線収容部ＷＳは、４つのブラケット外周平面部３１１〜３１４とそれぞれ接している。そのため、４つのブラケット外周平面部３１１〜３１４のどこにでも配線を引き込むための切り欠き部ＣＰを形成することができる。よって、セキュリティ用通信装置１０の周囲において、壁面を這わせた配線Ｗの配線経路を目立つほど変化させずにセキュリティ用通信装置１０に引き込むことができる。また、本実施形態の上方側ブラケット外周平面部３１１および下方側ブラケット外周平面部３１２には、切り欠き部ＣＰの形成を容易にするために、複数の目地状の溝３１５が形成されている。溝３１５は、４つのブラケット外周平面部３１１〜３１４のどこにでも形成することができる。
【００７３】
ブラケット側配線収容部ＷＳは、ブラケット側開口部３５０とブラケット側雌ネジ部３６０の間に形成されている。これにより、セキュリティ用通信装置１０の小型化を図ることができる。すなわち、ブラケット側配線収容部ＷＳがブラケット側開口部３５０とブラケット側雌ネジ部３６０の間との間に配置されていれば、本体部１００を中間ブラケット部材３００に取り付けるときの取り付け方向から見たときの内部装置収容部ＭＳの位置とブラケット側配線収容部ＷＳの位置がほぼ重なるように構成することができる。
【００７４】
以下では、本体側ケース４００（図１７および図１８）と取り付け金具２００（図１５および図１６）との固定方法、および、本体側ケース４００と中間ブラケット部材３００との固定方法について説明する。本実施形態のセキュリティ用通信装置１０は、本体側ケース４００の第１の本体側開口部４５０または第２の本体側開口部４６０に挿通されるネジのネジ先を取り付け金具２００の金具側雌ネジ部２１１に螺合させることによって、本体側ケース４００と取り付け金具２００とが固定される。このとき、第１の本体側開口部４５０または第２の本体側開口部４６０に挿通されたネジのネジ頭と本体側開口部との間に後述するボス部材５００（図２１）を介在させる。このボス部材５００は、本体側開口部に挿通されたネジのネジ頭と本体側開口部との間の介在部分の長さが変更可能に構成されており、介在部分の長さを変更することによって、本体側開口部から取り付け金具２００に向けて突出するネジの突出長さ、すなわち、本体側開口部からネジ先までの距離を変更させることができる。これにより、中間ブラケット部材３００を使用せずに本体側ケース４００を直接的に取り付け金具２００に取り付ける場合（図９）と、中間ブラケット部材３００を介して本体側ケース４００を間接的に取り付け金具２００に取り付ける場合（図１２）のいずれの場合にも同一のネジを使用して、本体側ケース４００を取り付け金具２００に固定することができる。
【００７５】
図２１は、ボス部材５００を例示した図である。図２１（ａ）〜（ｅ）は、それぞれ、ボス部材５００の正面図、上面図、底面図、右側側面図、および、左側側面図である。図２２は、ボス部材５００を例示した斜視図である。図２３（ａ）は、ボス部材５００の断面図である。図２３（ｂ）は、ネジ６００が挿通された状態のボス部材５００の断面図である。図２１および図２２では、説明の便宜上、ボス部材５００の上端部５４０にハッチを付している。ボス部材５００は、略筒状の外形を備え、ネジが挿通される貫通孔５０５と、第１の係合部５１０と、第２の係合部５２０と、ガイド部５３０とを備えている。ボス部材５００は、貫通孔５０５にネジが取り付けられた状態で、本体側ケース４００の第１の本体側開口部４５０および第２の本体側開口部４６０の上方に配置され、または、本体側開口部に挿通されるように配置されて使用される。
【００７６】
第１の係合部５１０は、ボス部材５００の外周部の上端部５４０に近接した位置に形成されており、第１上方側突起部５１１と、第２上方側突起部５１２と、第３上方側突起部５１３とを含んでいる。３つの上方側突起部５１１〜５１３は、それぞれ、矩形形状を有しており、ボス部材５００の軸方向（図２１（ａ）の上下方向）と直交する方向に突出している。３つの上方側突起部５１１〜５１３は、ボス部材５００の外周部において、外周部の周方向（図２１（ｂ）の面内回転方向）にほぼ等間隔に配置されている。第２上方側突起部５１２と第３上方側突起部５１３は、同形状であり、第１上方側突起部５１１は、第２上方側突起部５１２および第３上方側突起部５１３よりもボス部材５００の外周部の周方向の幅が広い形状を有している。
【００７７】
第２の係合部５２０は、ボス部材５００の外周部の下端部５５０に近接した位置に形成されており、第１下方側突起部５２１と、第２下方側突起部５２２と、第３下方側突起部５２３とを含んでいる。第１下方側突起部５２１は、第１上方側突起部５１１と対応して同形状であり、第２下方側突起部５２２および第３下方側突起部５２３は、第２上方側突起部５１２および第３上方側突起部５１３と対応して同形状である。３つの下方側突起部５２１〜５２３は、３つの上方側突起部５１１〜５１３に対して、ボス部材５００の軸回りに１８０°回転させた位置にそれぞれ形成されている、すなわち、ボス部材５００のうち、軸方向において、第１の係合部５１０が形成された位置を第１の係合部形成部５０１と呼び、第２の係合部５２０が形成された位置を第２の係合部形成部５０２と呼ぶと、第１の係合部形成部５０１の軸方向に直交する断面の断面形状は、第２の係合部形成部５０２の軸方向に直交する断面の断面形状と同じであり、ボス部材５００の軸方向から見たときの向きが１８０°異なるように構成されている。
【００７８】
ガイド部５３０は、ボス部材５００の外周部に形成された２つの突起状の部位であり、それぞれ、ボス部材５００の軸方向に沿って延伸している。この２つの突起部は、ボス部材５００の軸を介して互いに反対の位置に形成されている。ガイド部５３０は、ボス部材５００が第１の本体側開口部４５０または第２の本体側開口部４６０に挿通されるとき、本体側開口部に設けられた後述する第４切欠部４５４（図２４）と係合することによって、ボス部材５００の軸回りの回転を規制する。
【００７９】
図２３（ｂ）に示すように、ボス部材５００は、上端部５４０からネジ６００が挿通された状態で使用される。ボス部材５００は、上端部５４０がネジ６００のネジ首６２０と接触した状態で下端部５５０からネジ先６３０が突出するように構成されている。そのため、ボス部材５００は、軸方向において、第１の係合部５１０が第２の係合部５２０よりもネジ６００のネジ頭６１０に近い位置に形成されている。ボス部材５００は、貫通孔５０５に取り付けられたネジ６００を第１の本体側開口部４５０または第２の本体側開口部４６０に挿通させたときに、ネジ６００が挿通された本体側開口部の開口端部と、第１の係合部５１０または第２の係合部５２０が係合可能に構成されている。一方、ボス部材５００は、第１の係合部５１０または第２の係合部５２０の向きを本体側開口部の開口形状の向きに合わせることによって、第１の係合部５１０または第２の係合部５２０が本体側開口端部を挿通可能に構成されている。
【００８０】
図２４（ａ）は、第１の本体側開口部４５０付近の形状を例示した図である。図２４（ｂ）および図２４（ｃ）は、中間ブラケット部材３００を介さずに本体側ケース４００を取り付け金具２００に固定するときのボス部材５００の状態が示されている。図２４（ｄ）および図２４（ｅ）は、中間ブラケット部材３００を介して本体側ケース４００を取り付け金具２００に固定するときのボス部材５００の状態が示されている。図２４（ｂ）および図２４（ｄ）では、説明の便宜上、ボス部材５００の上端部５４０にハッチを付している。なお、第２の本体側開口部４６０（図１７）は、第１の本体側開口部４５０と同様の形状を有している。
【００８１】
図２４（ａ）に示すように、第１の本体側開口部４５０の開口形状は、ボス部材５００の第１の係合部形成部５０１における軸方向に直交する断面の断面形状、および、第２の係合部形成部５０２における軸方向に直交する断面の断面形状と対応（相似）する形状を備えている。具体的には、第１の本体側開口部４５０は、第１切欠部４５１と、第２切欠部４５２と、第３切欠部４５３と、第４切欠部４５４と、を含んでいる。図２４（ａ）、（ｂ）、（ｄ）に示すように、第１切欠部４５１は、第１上方側突起部５１１および第１下方側突起部５２１の断面形状と対応する形状を備えている。第２切欠部４５２は、第２上方側突起部５１２および第２下方側突起部５２２の断面形状と対応し、第３切欠部４５３は、第３上方側突起部５１３および第３下方側突起部５２３の断面形状と対応する形状を備えている。第４切欠部４５４は、ガイド部５３０の断面形状と対応する形状を備えている。ボス部材５００と第１の本体側開口部４５０は、第１の係合部形成部５０１の断面形状と、第１の本体側開口部４５０の開口形状の向きが一致しているときに第１の係合部形成部５０１が第１の本体側開口部４５０を挿通可能になり、これらの向きが互いに異なるときには、第１の係合部５１０が第１の本体側開口部４５０の開口端部と係合して第１の係合部形成部５０１が第１の本体側開口部４５０を挿通できなくなる。第２の係合部形成部５０２についても同様である。
【００８２】
中間ブラケット部材３００を使用せずに本体側ケース４００を取り付け金具２００に固定する場合、図２４（ｂ）に示すように、ボス部材５００は、軸方向に直交する方向における、第２の係合部形成部５０２の断面形状の向きが第１の本体側開口部４５０の開口形状の向きと（ここでは１８０°）異なるように配置される。これにより、図２４（ｂ）および図２４（ｃ）に示すように、ボス部材５００は、第２の係合部５２０が第１の本体側開口部４５０の開口端部と係合する。具体的には、３つの下方側突起部５２１〜５２３が第１の本体側開口部４５０の開口端部と接触し、ボス部材５００が第１の本体側開口部４５０を介して下方（図２４（ｃ）の下方側）に移動することが規制される。このとき、ボス部材５００は、図２４（ｃ）に示すように、第２の係合部形成部５０２から上端部５４０までの部分が介在部分として、ネジ６００のネジ頭６１０と第１の本体側開口部４５０との間に位置している。この介在部分の軸方向の長さをＬ１とする。また、第１の本体側開口部４５０からネジ先６３０までの軸方向の距離をＬ２とする。
【００８３】
図２４（ｄ）に示すように、ボス部材５００は、軸方向に直交する方向における、第２の係合部形成部５０２の断面形状の向きを第１の本体側開口部４５０の開口形状の向きと一致させることによって、第２の係合部形成部５０２を第１の本体側開口部４５０に挿通させ、下方側（図２４（ｃ）の下方側）に押し下げることができる。ここでは、図２４（ｂ）の状態のボス部材５００を軸回りに１８０°回転させて図２４（ｄ）の状態にすることで図２４（ｃ）の状態のボス部材５００を下方側に押し下げて図２４（ｅ）の状態にすることができる。図２４（ｄ）のボス部材５００は、第１の係合部形成部５０１の断面形状の向きが第１の本体側開口部４５０の開口形状の向きと（ここでは１８０°）異なっており、第１の係合部５１０と第１の本体側開口部４５０の開口端部とが係合する。具体的には、３つの上方側突起部５１１〜５１３が第１の本体側開口部４５０の開口端部と接触し、ボス部材５００が第１の本体側開口部４５０を介して下方に移動することが規制される。このとき、ボス部材５００は、図２４（ｅ）に示すように、第１の係合部形成部５０１から上端部５４０までの部分が介在部分として、ネジ６００のネジ頭６１０と第１の本体側開口部４５０との間に位置している。このときの介在部分の軸方向の長さＬ３はＬ１よりも短く（Ｌ３＜Ｌ１）なる。そのため、第１の本体側開口部４５０からネジ先６３０までの軸方向の距離Ｌ４はＬ２よりも長く（Ｌ４＞Ｌ２）なる。なお、ボス部材５００は、ネジ先６３０側に取り付け金具２００や、中間ブラケット部材３００がない場合、第１の係合部形成部５０１の断面形状の向きを第１の本体側開口部４５０の開口形状の向きと一致させることによって、第１の係合部形成部５０１を第１の本体側開口部４５０に挿通させ、さらに下方側に押し下げることができる。ここでは、図２４（ｄ）の状態のボス部材５００を１８０°回転させて図２４（ｂ）の状態にすることで、ボス部材５００をさらに下方側に押し下げて、ボス部材５００を第１の本体側開口部４５０の下方側から取り出すことができる。
【００８４】
図２４（ｃ）および図２４（ｅ）に示すように、ボス部材５００は、ネジ６００が第１の本体側開口部４５０に挿通されているときに、ネジ６００のネジ頭６１０と本体側開口部との間に介在するボス部材５００の介在部分の軸方向の長さをＬ１とＬ３の２種類に変更可能に構成されている。すなわち、ボス部材５００は、図２４（ｃ）に示すように、中間ブラケット部材３００を使用せずに本体側ケース４００を直接的に取り付け金具２００に取り付ける場合には、介在部分の軸方向の長さ距離Ｌ１を相対的に長くすることができる。これにより、第１の本体側開口部４５０からネジ６００のネジ先６３０までの距離Ｌ２が相対的に短くなり、ネジ先６３０を金具側雌ネジ部２１１に螺合させることができる。一方、ボス部材５００は、図２４（ｅ）に示すように、中間ブラケット部材３００を介して本体側ケース４００を間接的に取り付け金具２００に取り付ける場合には、介在部分の軸方向の長さＬ３を相対的に短くすることができる。これにより、第１の本体側開口部４５０からネジ６００のネジ先６３０までの距離Ｌ４が相対的に長くなり、ネジ先６３０を金具側雌ネジ部２１１に螺合させることができる。本実施形態のセキュリティ用通信装置１０は、中間ブラケット部材３００を使用する場合と使用しない場合とで、第１の本体側開口部４５０から金具側雌ネジ部２１１までの距離が変化するように構成されている。本体側ケース４００を取り付け金具２００に固定するネジにボス部材５００を取り付けることによって、中間ブラケット部材３００を使用する場合と使用しない場合のいずれの場合でも、同一のネジによって、本体側ケース４００を取り付け金具２００に固定することができる。
【００８５】
図２４（ａ）に示すように、本体側ケース４００の本体側外周面部４１０は、本体側外周面部４１０の立設方向に沿った２つの凸形状の回転規制部４１７を備えている。すなわち、回転規制部４１７は、上方側本体外周平面部４１１に袖壁状に形成されている。回転規制部４１７は、図２４（ｂ）および図２４（ｄ）に示すように、第１上方側突起部５１１または第１下方側突起部５２１と係合し、ボス部材５００の軸回りの回転を規制する。
【００８６】
図２５は、中間ブラケット部材３００を使用せずに本体側ケース４００を直接的に取り付け金具２００に取り付けた状態を例示した図である。図２６は、図２５の本体側ケース４００および取り付け金具２００の斜視図である。図２７は、図２５のＡ−Ａ断面およびＢ−Ｂ断面を例示した図である。
【００８７】
図２５〜２７に示すように、本体側ケース４００を直接的に取り付け金具２００に取り付ける場合、第１の本体側開口部４５０および第２の本体側開口部４６０には、それぞれ、ボス部材５００を取り付けたネジ６００が挿通される。図２７に示すように、第１の本体側開口部４５０に挿通されたボス部材５００は、図２４（ｃ）と同じ状態であり、第２の係合部５２０が第１の本体側開口部４５０の開口端部と係合し、ネジ６００のネジ先６３０が金具側雌ネジ部２１１と螺合する。第２の本体側開口部４６０に挿通されたボス部材５００は、第２の係合部５２０が第２の本体側開口部４６０と係合する。
【００８８】
図２８は、中間ブラケット部材３００を介して本体側ケース４００を間接的に取り付け金具２００に取り付けた状態を例示した図である。図２９は、図２８の本体側ケース４００および中間ブラケット部材３００の斜視図である。図３０は、図２８のＡ−Ａ断面およびＢ−Ｂ断面を例示した図である。
【００８９】
図２８〜３０に示すように、本体側ケース４００を間接的に取り付け金具２００に取り付ける場合、第１の本体側開口部４５０および第２の本体側開口部４６０には、それぞれ、ボス部材５００を取り付けたネジ６００が挿通される。このネジ６００は、本体側ケース４００を直接的に取り付け金具２００に取り付ける場合と同一である。図３０に示すように、第１の本体側開口部４５０に挿通されたボス部材５００は、図２４（ｅ）と同じ状態であり、第１の係合部５１０が第１の本体側開口部４５０の開口端部と係合し、ネジ６００のネジ先６３０が金具側雌ネジ部２１１と螺合する。第２の本体側開口部４６０に挿通されたボス部材５００は、第２の係合部５２０が第２の本体側開口部４６０と係合し、ネジ６００のネジ先６３０がブラケット側雌ネジ部３６０と螺合する。
【００９０】
以上説明した、本実施形態のセキュリティ用通信装置１０によれば、建物への侵入者等にその存在を気がつかれないように、セキュリティ用通信装置１０をより目立たなくすることができる。具体的には、セキュリティ用通信装置に外部配線を引き込んだ際、装置の周囲において配線の長さが余らなかった場合、または、目立たない程度に長さが余る場合には、図１〜４、９〜１１に示すように、中間ブラケット部材３００を使用せずにセキュリティ用通信装置１０の本体部１００を直接的に取り付け面２０に固定できる。そのため、セキュリティ用通信装置１０の大きさを抑制することができる。一方、セキュリティ用通信装置に外部配線を引き込んだ際、装置の周囲において配線の長さが目立つ程度に余る場合には、図５〜８、１２〜１４に示すように、中間ブラケット部材３００を使用することによって、中間ブラケット部材３００の内部の配線収容部ＷＳにおいて配線方向を変化させて本体部１００に接続することができる。これにより、セキュリティ用通信装置１０周辺の配線Ｗによってセキュリティ用通信装置１０が目立つようになることを抑制することができる。また、この構成によれば、選択的に中間ブラケット部材３００を使用してセキュリティ用通信装置１０の本体部１００を取り付け面２０に固定することができるため、取り付け場所の状況に応じてより目立たない構成を選択することができる。また、本実施形態のセキュリティ用通信装置１０によれば、本体側ケース４００を取り付け金具２００に固定するネジにボス部材５００を取り付けるため、中間ブラケット部材３００を使用する場合と使用しない場合のいずれの場合であっても、同一のネジによって、本体側ケース４００を取り付け金具２００に固定することができる。これにより、セキュリティ用通信装置を壁面等に取り付ける際の作業性の低下を抑制できる。また、使用されなかったネジなどの不要な資材（ゴミ）の発生を抑制できる。
【００９１】
Ｂ．変形例：
なお、この発明は上記の実施形態に限られるものではなく、その要旨を逸脱しない範囲において種々の態様において実施することが可能であり、例えば次のような変形も可能である。
【００９２】
Ｂ−１．変形例１：
本実施形態のボス部材５００は、ガイド部５３０を備えているが、備えていなくてもよい。本実施形態の本体側ケース４００は回転規制部４１７を備えているが、備えていなくてもよい。本体部１００は第１の体勢と第２の体勢によって中間ブラケット部材３００に取り付け可能に構成されているが、いずれか一方の体勢のみで取り付け可能に構成されていてもよい。
【００９３】
Ｂ−２．変形例２：
図３１は、変形例のボス部材５００Ａを例示した説明図である。本実施形態のボス部材５００は、第１の係合部５１０と第２の係合部５２０の２つの係合部を備えているものとして説明した。しかし、ボス部材５００は、介在部分の長さを変更可能な構成であれば、上述した構成に限定されない。例えば、図３１（ａ）、（ｂ）に示すボス部材５００Ａのように、１つの係合部５１０Ａのみを備えていてもよい。この場合であっても、図３１（ａ）、（ｂ）に示すように、ボス部材５００Ａの両端部のうち、第１の本体側開口部４５０に差し込む端部を一方から他方に変更することによって、介在部分の長さをＬ５からＬ７に変更することができる。
【００９４】
本実施形態のボス部材５００は、第２の係合部５２０がボス部材５００の下端部５５０と接していないが、第２の係合部５２０が下端部５５０に接していてもよい。本実施形態のボス部材５００は、第１の係合部５１０および第２の係合部５２０が突起部として構成されているが、第１の係合部５１０および第２の係合部５２０は凹部であってもよい。この場合であっても、本体側ケース４００の第１の本体側開口部４５０および第２の本体側開口部４６０に、例えば、バネによって伸縮可能な突起部が形成されていれば、この突起部が第１の係合部５１０および第２の係合部５２０の凹部と係合することができる。
【００９５】
Ｂ−３．変形例３：
本実施形態のボス部材５００は、ネジ６００のネジ頭６１０と本体側開口部４５０との間に介在させるものとして説明した。しかし、ここでのネジ頭６１０とは、ネジの上方側の位置のことを意味しており、ネジ頭についての形態については何ら特定していない。すなわち、ネジ６００は、軸部に対して拡径された頭部を備えていなくてもよい。この場合には、軸部の上方側が本明細書のネジ頭に該当する。
【００９６】
Ｂ−４．変形例４：
本発明は、種々の態様で実現することが可能であり、例えば、セキュリティ用通信装置の取り付け構造、取り付け方法、セキュリティ用通信装置の製造方法、セキュリティ用通信装置を含んだセキュリティシステムなどの形態で実現することができる。
【符号の説明】
【００９７】
１０…セキュリティ用通信装置
２０…取り付け面
１００…本体部
１１０…外側ケース
１１１…外側ケース主面部
１１２…外側ケース外周面部
１２０…内部装置
１２１…アンテナ
１２２…基板部
１２３…電源部
２００…取り付け金具
２０１…金具側主面部
２０２…孔部
２１０…金具側固定部
２１１…金具側雌ネジ部
２２０…第１の金具側係合部
２３０…第２の金具側係合部
２４０…金具側開口部
３００…中間ブラケット部材
３０１…ブラケット側主面部
３１０…ブラケット側外周面部
３１１…上方側ブラケット外周平面部
３１２…下方側ブラケット外周平面部
３１３…右側ブラケット外周平面部
３１４…左側ブラケット外周平面部
３１５…溝
３２０…第１のブラケット側金具係合部
３３０…第２のブラケット側金具係合部
３４０…ブラケット側配線用開口部
３５０…ブラケット側開口部
３６０…ブラケット側雌ネジ部
３８１…ブラケット側移動規制部
４００…本体側ケース
４０１…本体側主面部
４０２…区画部
４１０…本体側外周面部
４１１…上方側本体外周平面部
４１２…下方側本体外周平面部
４１３…右側本体外周平面部
４１４…左側本体外周平面部
４１６…アンテナ取り出し部
４１７…回転規制部
４２０…第１の本体側金具係合部
４３０…第２の本体側金具係合部
４４０…本体側配線用開口部
４５０…第１の本体側開口部
４５１…第１切欠部
４５２…第２切欠部
４５３…第３切欠部
４５４…第４切欠部
４６０…第２の本体側開口部
４８１、４８２…本体側ケース係合部
５００…ボス部材
５０１…第１の係合部形成部
５０２…第２の係合部形成部
５０５…貫通孔
５１０…第１の係合部
５１１…第１上方側突起部
５１２…第２上方側突起部
５１３…第３上方側突起部
５２０…第２の係合部
５２１…第１下方側突起部
５２２…第２下方側突起部
５２３…第３下方側突起部
５３０…ガイド部
５４０…上端部
５５０…下端部
６００…ネジ
６１０…ネジ頭
６２０…ネジ首
６３０…ネジ先
Ｗ…配線
ＭＳ…内部装置収容部
ＳＳ…本体側配線収容部
ＷＳ…ブラケット側配線収容部
【図１】
2016126396.tif 000003
【図２】
2016126396.tif 000004
【図３】
2016126396.tif 000005
【図４】
2016126396.tif 000006
【図５】
2016126396.tif 000007
【図６】
2016126396.tif 000008
【図７】
2016126396.tif 000009
【図８】
2016126396.tif 000010
【図９】
2016126396.tif 000011
【図１０】
2016126396.tif 000012
【図１１】
2016126396.tif 000013
【図１２】
2016126396.tif 000014
【図１３】
2016126396.tif 000015
【図１４】
2016126396.tif 000016
【図１５】
2016126396.tif 000017
【図１６】
2016126396.tif 000018
【図１７】
2016126396.tif 000019
【図１８】
2016126396.tif 000020
【図１９】
2016126396.tif 000021
【図２０】
2016126396.tif 000022
【図２１】
2016126396.tif 000023
【図２２】
2016126396.tif 000024
【図２３】
2016126396.tif 000025
【図２４】
2016126396.tif 000026
【図２５】
2016126396.tif 000027
【図２６】
2016126396.tif 000028
【図２７】
2016126396.tif 000029
【図２８】
2016126396.tif 000030
【図２９】
2016126396.tif 000031
【図３０】
2016126396.tif 000032
【図３１】
2016126396.tif 000033